(57)【要約】【課題】テープ巻きするだけで、従来の下巻きと後巻きとコルゲートチューブの組み合わせによる電線群の保護機能と同等の保護機能を有し、コルゲートチューブと下巻きと後巻きの材料および取付作業が不要であり、ワイヤハーネスの内部に浸入する水を良好に排出することができ、異音の発生を低減できる結束用テープ材およびワイヤハーネスを提供すること。【解決手段】可撓性を有する合成樹脂製のテープ材本体５と、テープ材本体５に形成された粘着剤層６と、を有してなり、電線群２をオーバーラップ巻きにして電線群２を被覆する結束用テープ製保護部３を形成する結束用テープ材４であって、上辺と下辺がテープ幅端縁に対応する台形状上面部５ａと、台形状上面部５ａとは逆向きの台形状下面部５ｂとが、テープ長さ方向に交互に配列され、互いに隣接する台形状上面部５ａと台形状下面部５ｂのテープ長さ方向の一辺同士が長矩形側壁部５ｃで一体に繋がっている。【選択図】図４
2016163455.tif 000002
【特許請求の範囲】
【請求項１】
可撓性を有する合成樹脂製のテープ材本体を有し、電線群をオーバーラップ巻きにして前記電線群を被覆する結束用テープ製保護部を形成する結束用テープ材であって、
上辺と下辺がテープ幅端縁に対応する台形状上面部と、前記台形状上面部とは逆向きの台形状下面部とが、テープ長さ方向に交互に配列され、互いに隣接する前記台形状上面部と前記台形状下面部のテープ長さ方向の一辺同士が長矩形側壁部で一体に繋がっていることを特徴とする結束用テープ材。
【請求項２】
前記テープ材本体に粘着剤層が形成されてなることを特徴とする請求項１に記載の結束用テープ材。
【請求項３】
電線群と、前記電線群を被覆する結束用テープ製保護部と、を備え、
前記結束用テープ製保護部が、請求項１または２に記載の結束用テープ材により、前記電線群をオーバーラップ巻きにして形成されたワイヤハーネスであって、
前記電線群に対する前記結束用テープ材の前記オーバーラップ巻きが、前記台形状上面部が一巻き前の前記台形状上面部の半部に重なるとともに、前記台形状下面部が一巻き前の前記台形状下面部の半部に重なるように行われていることを特徴とするワイヤハーネス。
【発明の詳細な説明】
【技術分野】
【０００１】
本発明は、電線群を結束しかつ保護する結束用テープ材およびワイヤハーネスに関する。
【背景技術】
【０００２】
従来、この種のワイヤハーネスにあっては、結束用テープ材とスリット入りコルゲートチューブのいずれか一方または両方により、電線群が被覆され保護されていた（例えば、特許文献１参照）。
【０００３】
図５は、特許文献１の図５に開示されたワイヤハーネスに対し、保護方法が実質的に等価である従来の一般的な電線群の保護方法を示す工程図である。まず、図５（ａ）に示すように、ワイヤハーネス１０は、粘着テープ材１１で、電線群１２に所定間隔離れた２ヶ所に補助巻きとして周方向に２、３回円筒巻きにしてから、粘着テープ材１３で、円筒巻き間を下巻きとしての粗巻きを行う。次いで、図５（ｂ）に示すように、スリット入りコルゲートチューブ１４を電線群１２に被せる。続いて、図５（ｃ）に示すように、粘着テープ材１５で、スリット入りコルゲートチューブ１４に対し後巻きとしてのハーフラップ巻きを行う。なお、図５（ａ）に示す工程で、下巻きとしての粗巻きをハーフラップ巻きに替えるとともに、図５（ｃ）に示す工程で、後巻きとしてのハーフラップ巻きを粗巻きに替えることもある。
【０００４】
上記のように、従来にあっては、特に、ワイヤハーネスの配索経路に沿ってバリやエッジが存在する場合に、スリット入りコルゲートチューブ１４を用いた電線群の保護方法を適用していた。
【先行技術文献】
【特許文献】
【０００５】
【特許文献１】特開２００４−２９６３３６号公報、図５
【発明の概要】
【発明が解決しようとする課題】
【０００６】
しかしながら、図５に示す従来のスリット入りコルゲートチューブ１４を用いた電線群の保護方法は、内部に浸入した水がコルゲートチューブ１４のスリットを通して外部へ排水されるよう、スリットを下向きにしてスリット入りコルゲートチューブ１４を電線群に被せるので、電線群１２の中の１ないし数本がスリットを通して外部に垂れることが無いように、粘着テープ材１１で電線群１２を下巻きすることが避けられなかった。
【０００７】
また、従来のワイヤハーネス１０における電線群の保護方法は、コルゲートチューブ１４のスリットが広がることがないように、コルゲートチューブ１４の外面を粘着テープ材１５で後巻きとしての粗巻きまたはハーフラップ巻きにすることが避けられなかったので、電線群１２の下巻き作業と、コルゲートチューブ１４の取付作業と、コルゲートチューブ１４の外面に対する後巻き作業が必要であり、時間とコストが多くかかっていた。
【０００８】
また、従来のワイヤハーネス１０における電線群の保護方法は、ワイヤハーネスの幹線や枝線に応じて、また異なるワイヤハーネスに応じて、電線群の径に合わせた各種サイズのコルゲートチューブを用意しなければならず、また、粘着テープ材で電線群を保護する長さに応じてコルゲートチューブを種々の長さに切断したものを予め用意しなければならなかった。
【０００９】
さらに、従来のワイヤハーネス１０における電線群の保護方法は、コルゲートチューブ１４を粘着テープ材１５でハーフラップ巻きした場合には、内部に浸入した水が外部に排出されにくく、さらにまた、エンジンの近くなどの車両パネルにワイヤハーネスが支持される場合には、振動が車両パネルからコルゲートチューブと電線群に伝わり、相互に干渉して異音を発生する。特に、コルゲートチューブが肉厚で硬いので、大きい異音を発生するという、問題点があった。
【００１０】
本発明は、上述のような課題を解決するためになされたもので、テープ巻きするだけで、従来の結束用テープ材による下巻きおよび後巻きならびにスリット入りコルゲートチューブの組み合わせによる電線群の保護機能と同等の保護機能を有し、コルゲートチューブと下巻きと後巻きの材料および取付作業が不要であり、ワイヤハーネスの内部に浸入する水を良好に排出することができ、異音の発生を低減できる結束用テープ材およびワイヤハーネスを提供することを目的とする。
【課題を解決するための手段】
【００１１】
本発明に係る結束用テープ材は、上記目的達成のため、可撓性を有する合成樹脂製のテープ材本体を有し、電線群をオーバーラップ巻きにして前記電線群を被覆する結束用テープ製保護部を形成する結束用テープ材であって、上辺と下辺がテープ幅端縁に対応する台形状上面部と、前記台形状上面部とは逆向きの台形状下面部とが、テープ長さ方向に交互に配列され、互いに隣接する前記台形状上面部と前記台形状下面部のテープ長さ方向の一辺同士が長矩形側壁部で一体に繋がっている構成である。
【００１２】
この構成により、本発明に係る結束用テープ材によれば、オーバーラップ巻きする際に巻き付け方向の張力を調整することにより、台形状上面部の内面側凹部の間口の寸法を容易に変えられるので、台形状下面部と台形状下面部とをそれぞれ一巻き前の台形状下面部と台形状下面部に対しずれた状態に重ねるように、電線群に対してオーバーラップ巻きしていくことができる。
【００１３】
このため、電線群に対してオーバーラップ巻きすると、台形状下面部が電線群に対して複数条の螺旋状に巻き付いて粘着するとともに、台形状上面部とその両側の長矩形側壁部で構成される内面側凹部がオーバーラップ巻きにより次々に被さって電線群に対して複数条の螺旋状トンネルとなる結束用テープ製保護部を備えたワイヤハーネスを構成することができる。
【００１４】
本発明に係るワイヤハーネスによれば、テープ巻きするだけで、従来の結束用テープ材による下巻きおよび後巻きならびにスリット入りコルゲートチューブの組み合わせによる電線群の保護機能と同等の保護機能を有し、コルゲートチューブと下巻きと後巻きの材料および取付作業が不要であり、ワイヤハーネスの内部に浸入する水を良好に排出することができ、異音の発生を低減できる。
【００１５】
本発明に係るワイヤハーネスによれば、前記テープ材本体に粘着剤層が形成されているのがよい。テープ材本体に粘着剤層が形成されていない場合には、テープ巻きの巻始め端と巻き終わり端とを別の粘着テープで固定するが、テープ材本体に粘着剤層が形成されている場合には、テープ巻きの巻始め端と巻き終わり端とを別の粘着テープで固定しなくともよい。
【００１６】
本発明に係るワイヤハーネスは、上記目的達成のため、電線群と、前記電線群を被覆する結束用テープ製保護部と、を備え、前記結束用テープ製保護部が、上記の結束用テープ材により、前記電線群をオーバーラップ巻きにして形成されたワイヤハーネスであって、前記電線群に対する前記結束用テープ材の前記オーバーラップ巻きが、前記台形状上面部が一巻き前の前記台形状上面部の半部に重なるとともに、前記台形状下面部が一巻き前の前記台形状下面部の半部に重なるように行われている構成である。
【００１７】
この構成により、本発明に係るワイヤハーネスによれば、上記の結束用テープ材により電線群をオーバーラップ巻きにして形成された結束用テープ製保護部が、従来の結束用テープ材による下巻きおよび後巻きならびにスリット入りコルゲートチューブの組み合わせによる電線群の保護機能と同等の保護機能を有している。
【００１８】
したがって、本発明に係るワイヤハーネスによれば、コルゲートチューブと下巻きと後巻きの材料および取付作業が不要であり、ワイヤハーネスの内部に浸入する水を良好に排出することができ、異音の発生を低減できる。
【発明の効果】
【００１９】
本発明によれば、テープ巻きするだけで、従来の結束用テープ材による下巻きおよび後巻きならびにスリット入りコルゲートチューブの組み合わせによる電線群の保護機能と同等の保護機能を有し、コルゲートチューブと下巻きと後巻きの材料および取付作業が不要であり、ワイヤハーネスの内部に浸入する水を良好に排出することができ、異音の発生を低減できる結束用テープ材およびワイヤハーネスを提供することができる。
【図面の簡単な説明】
【００２０】
【図１】本発明の一実施の形態に係るワイヤハーネスを示す概略正面図である。
【図２】本発明の一実施の形態に係るワイヤハーネスの結束用テープ製保護部を形成する結束用テープ材を示すものであって、図２（ａ）は結束用テープ材の正面図であり、図２（ｂ）は図２（ａ）におけるＩＩｂ−ＩＩｂ矢視図であり、図２（ｃ）は図２（ａ）におけるＩＩｃ−ＩＩｃ矢視図である。
【図３】本発明の一実施の形態に係るワイヤハーネスの結束用テープ製保護部の一部を示す模式的な拡大斜視図である。
【図４】図１におけるＩＶ−ＩＶ断面図である。
【図５】従来のワイヤハーネスにおける電線群の一般的な保護方法を示す工程図であり、図５（ａ）は第１の工程を示す正面図、図５（ｂ）は第２の工程を示す正面図、図５（ｃ）は第３の工程を示す正面図である。
【発明を実施するための形態】
【００２１】
本発明に係る一実施の形態について図面を参照して説明する。
【００２２】
まず、ワイヤハーネス１の構成を説明する。
図１に示すように、ワイヤハーネス１は、電線群２と、電線群２を被覆する結束用テープ製保護部３と、を備えている。本実施の形態に係るワイヤハーネス１は、車室外に配索されるワイヤハーネスとして適する。
【００２３】
図４に示すように、電線群２は、ここでは複数の被覆電線２ａの束を示しているが、複数の被覆電線と１本の裸電線を含む束であってもよい。さらに、電線群２は、シールド電線であってもよい。
【００２４】
図２（ａ），（ｂ），（ｃ）は、結束用テープ製保護部３を形成する結束用テープ材４を示す図である。結束用テープ材４は、合成樹脂製のテープ材本体５と、テープ材本体５の片面に形成された粘着剤層６と、を有する。電線群２を被覆する結束用テープ製保護部３は、結束用テープ材４で電線群２をハーフラップ巻きすることにより形成される。ハーフラップ巻きとは、オーバーラップ幅をテープ幅の半分とするオーバーラップ巻きである。
【００２５】
図２（ａ），（ｂ），（ｃ）に示すように、テープ材本体５は、テープ面に対して垂直方向から見た上辺と下辺がテープ幅端縁に対応する台形状上面部５ａと、台形状上面部５ａとは逆向きの台形状下面部５ｂとが、テープ長さ方向に交互に配列され、互いに隣接する台形状上面部５ａと台形状下面部５ｂのテープ長さ方向の一辺同士が長矩形側壁部５ｃで一体に繋がっている。
【００２６】
図２（ｂ），（ｃ）に示すように、テープ材本体５は、台形状上面部５ａと、その両側の長矩形側壁部５ｃとにより形成される山形成空間５ｄを有し、また、台形状下面部５ｂと、その両側の長矩形側壁部５ｃとにより形成される谷形成空間５ｅを有する。
【００２７】
図２（ａ）に示すように、山形成空間５ｄと谷形成空間５ｅとは、互いに逆向きの空間形状となっており、図３に示すように、１巻目〜４巻目の結束用テープ材４ａ〜４ｃをテープ幅の半分のピッチでずらして重ねていくとき、１巻目の結束用テープ材４ａの台形状上面部５ａおよび台形状下面部５ｂに、２巻目の結束用テープ材４ｂの台形状上面部５ａおよび台形状下面部５ｂが、それぞれハッチングエリアＱ、Ｒにおいて粘着剤層６により粘着して重なるので、次々に結束用テープ材４ｃ，４ｄをテープ幅の半分のピッチでずらして重ねていくと、全体として一体的になり、山形成空間５ｄと谷形成空間５ｅもそれぞれ延びていくようになる。
【００２８】
したがって、山形成空間５ｄと谷形成空間５ｅは、結束用テープ材４を電線群２にハーフラップ巻きする際には、巻き付け力を調整することにより、山形成空間５ｄのピッチと谷形成空間５ｅのピッチを容易に大きくなるように変形するので、台形状上面部５ａ同士と谷形成空間５ｅ同士がそれぞれ次々に重なっていくことができる。
【００２９】
図３に示すように、テープ材本体５の山形成空間５ｄは、下側に重なる部分では、そのまま空いており、上側となって重なる部分では、下側の山形成空間５ｄを跨いでいるので、下側の山形成空間５ｄを挟んだ両側に、小さく分かれた空間を形成する。このようにして、結束用テープ材４をテープ幅の半分のピッチでずらして重ねていくとき、内面側と外面側とが山形成空間５ｄで連通した状態になる。
【００３０】
互いに隣接する台形状上面部５ａと台形状下面部５ｂとを合わせたテープ長さ方向の寸法を１ピッチとして、電線群２をハーフラップ巻きにしたときに、１巻で４〜６ピッチ存在するように、電線群２の周長に対してテープ幅と前記ピッチが決められているのがよい。
【００３１】
台形状上面部５ａと台形状下面部５ｂは、プレス成形性を備えるためには等脚台形であることが望ましい。台形状上面部５ａと台形状下面部５ｂは、同一の大きさであることが好ましいが、台形状上面部５ａのピッチ間隔を変更する形で、台形状下面部５ｂのテープ長さ方向の寸法を所望に変更してもよい。
【００３２】
テープ材本体５は、ポリプロピレン、ナイロン、ポリエチレン、ポリイミド、アミドイミド、エステルイミド、エポキシ、ウレタンより選択される樹脂を用いて成形される。
【００３３】
テープ材本体５は、例えば、肉厚が０．２〜０．５ｍｍ、幅が１９〜４０ｍｍ、長さが０．４〜１ｍとされるが、使い勝手、迅速性、被覆長さなどを考慮して適宜に決定される。
【００３４】
結束用テープ材４は、テープ材本体５の片面（内面側）の全幅に粘着剤層６が形成されている。粘着剤の種類については、特に限定されない。粘着剤層６は、両面粘着テープをテープ材本体５に貼着した構成であってもよい。粘着剤層６は、電線群２に巻き付ける前は、離型紙が貼着されている。テープ材本体５は、電線群２に巻き付ける前は、粘着剤層６に離型紙が貼着された構成である場合には、離型紙を剥がしながら、電線群２に巻き付ける。
【００３５】
結束用テープ材４は、例えば、テープ材本体５となる帯板状の合成樹脂板と、合成樹脂板の片面に形成する粘着剤層と、粘着剤層の表面を隠蔽する離型紙とからなる３層状の帯状材を雄金型と雌金型とでプレス成形し、金型の壁面を加熱し、次いで冷却することにより形状を安定化させることにより成形される。
【００３６】
そのほか、ワイヤハーネス１は、補助巻き部７と、巻き終わり端固定部８を有する。補助巻き部７は、結束用テープ材４による電線群２に対する巻き付けに先行して、結束用テープ材４の電線群２に対する巻き初め端と巻き終わり端の２ヶ所に設けられ、粘着テープにより複数回円筒巻きされてなる。巻き終わり端固定部８は、結束用テープ材４による電線群２に対する巻き付け終了後に、結束用テープ材４の巻き終わり端に対して粘着テープによる巻き落としてなる、すなわち、別途の粘着テープを結束用テープ材４の巻き終わり端に複数回円筒巻きしてから、巻き位置を電線群２の方向に移動し、電線群２に複数回円筒巻きしてなる。
【００３７】
次に、上述した構成のワイヤハーネス１の製作方法について簡単に説明する。
【００３８】
図１、図３、図４に示すように、電線群２と、結束用テープ材４を用意し、電線群２に対して補助巻き部７，７を形成してから、図１に示すように、結束用テープ材４を一方の補助巻き部７に重ねて、図１に示すように、矢印Ｘの方向にハーフラップ巻き（螺旋巻き）にして電線群２を被覆する結束用テープ製保護部３を形成し、結束用テープ製保護部３の巻き終わり端を、図１に示すように、別の粘着テープで電線群２に巻き落としにする巻き終わり端固定部８を設けることで、ワイヤハーネス１の製作が完了する。
【００３９】
結束用テープ材４は、電線群２に対するハーフラップ巻きにする際に、テープ長手方向に加わる引張力（巻き付け力）を調整することにより、山形成空間５ｄの間口幅および谷形成空間５ｅの間口幅をそれぞれ広げて、テープ長手方向に延びることができるから、一巻き後の山形成空間５ｄおよび谷形成空間５ｅが一巻き前の山形成空間５ｄおよび谷形成空間５ｅに重なるようにすることが容易にできる。
【００４０】
結束用テープ材４のハーフラップ部は、下側に重なるテープ半部の山形成空間５ｄと谷形成空間５ｅがガイドになって、上側に重なるテープ半部の２つの山が重なって巻かれ、かつ上側に重なるテープ半部に存する粘着剤層６が、下側に重なるテープ半部の２つの山の重なることで粘着し、このようにして、ハーフラップ巻き（螺旋巻き）が円滑に行われる。
【００４１】
なお、ハーフラップ巻きの作業は、結束用テープ材４を電線群２に対して通常は右巻きに巻いていくが、右巻きまたは左巻のいずれの場合であってもよい。
【００４２】
続いて、上述した構成のワイヤハーネス１の作用効果について説明する。
【００４３】
上記の実施の形態に係るワイヤハーネス１は、ハーフラップ巻きする際に結束用テープ材４の巻き付け方向の張力を調整することにより、山形成空間５ｄの間口と谷形成空間５ｅの間口の寸法を容易に変えられるので、電線群２に対してハーフラップ巻きしていくことが容易に実現できる。山形成空間５ｄと山形成空間５ｄは、ハーフラップ巻きする際に巻き付けガイドとなるので、ハーフラップ巻き作業を効率よく行うことができる。
【００４４】
上記の実施の形態に係るワイヤハーネス１は、山形成空間５ｄの間口と谷形成空間５ｅとを有する結束用テープ材４を電線群２に対してハーフラップ巻きするので、山形成空間５ｄが電線群２に対して複数条の螺旋凸条となり、かつ、螺旋凸条の内側に螺旋状トンネルを有し、テープ材本体５の厚さを適切に選択すると、巻き付け性を阻害することなく、長矩形側壁部５ｃの腰の強さを確保できて、外圧に対して高いクッション性を有する。
【００４５】
上記の実施の形態に係るワイヤハーネス１は、互いに隣接する台形状上面部５ａと台形状下面部５ｂとを合わせたテープ長さ方向の寸法を１ピッチとして、電線群２をハーフラップ巻きにしたときに、１巻で４〜６ピッチ存在するように、電線群２の周長に対してテープ幅と前記１ピッチが決められていることにより、結束用テープ製保護部３に備える螺旋状トンネル同士の周方向の間隔が密になり、クッション性が周方向において均一になる。
【００４６】
そして、上記の実施の形態に係るワイヤハーネス１は、結束用テープ材４に電線群２に対するハーフラップ巻きにより形成される結束用テープ製保護部３が、ワイヤハーネス外面（結束用テープ製保護部３の外面）と、内側に保護する電線群２との距離を山形成空間５ｄの丈だけ離れさせ、かつ、結束用テープ材４の二枚重ねと、面方向の外圧に対してクッション性とが協働して、ワイヤハーネスの配索経路に沿ってバリやエッジが存在する場合に、有効な保護機能を発揮する。したがって、上記の実施の形態に係るワイヤハーネス１は、従来のハーフラップ巻きとコルゲートチューブとを組み合わせた保護機能と同等の保護機能を有し、従来のハーフラップ巻きとコルゲートチューブとを組み合わせに替えて使用でき、結束用テープ材４を巻き付けるだけでよく、従来のような、コルゲートチューブと下巻きと後巻きの材料および取付作業は不要である。
【００４７】
上記の実施の形態に係るワイヤハーネス１は、両側の長矩形側壁部５ｃで支持される台形状上面部５ａが、二重の重なりとなって、電線群２に対して離間した位置で電線群２を保護することになる。これにより、この結束用テープ材４は、従来のスリット入りコルゲートチューブの大径円筒部が電線群２に対して離間した位置で電線群２を保護することと同等の保護機能を有することになり、ワイヤハーネス１の配索経路にバリやエッジが存在する場合に有効な保護機能を発揮する。
【００４８】
従来のワイヤハーネスにおいては、予め一体の長さに切ったコルゲートチューブを用意し、また電線群の径に応じた各種サイズのコルゲートチューブを用意する必要があったが、上記の実施の形態に係るワイヤハーネス１は、結束用テープ材４を用意し、電線群２に巻き付けるだけでよく、電線群２を保護する長さや径に関係なく、各種電線群に適用できる。
【００４９】
上記の実施の形態に係るワイヤハーネス１は、湾曲させて配索する場合に、台形状上面部５ａ同士および台形状下面部５ｂ同士の各重なり面に介在する粘着剤層６の剥離を回避することができ、電線群２を露出させてしまうことがない。すなわち、ワイヤハーネス１が曲げられると、山形成空間５ｄの間口および谷形成空間５ｅの間口の大きさを変更してハーフラップに関与している粘着剤層６の剥離を回避することができる。
【００５０】
上記の実施の形態に係るワイヤハーネス１は、結束用テープ製保護部３が、結束用テープ材４によるハーフラップ巻きによる形成されるものであり、山形成空間５ｄが内部と外部とを連通している多孔の螺旋巻体であるので、ワイヤハーネス１の内部に浸入する水を良好に排出することができる。
【００５１】
上記の実施の形態に係るワイヤハーネス１は、結束用テープ製保護部３が、コルゲートチューブに比べて軟らかい結束用テープ材４をハーフラップ巻きにして形成されているので、振動発信源から振動を伝達される電線群２と結束用テープ製保護部３との干渉において、コルゲートチューブと電線群との干渉に比べてはるかに小さい異音の発生となるように抑制でき、しかも、発生した異音を、複雑形状の螺旋トンネルを通して広く伝播し、音エネルギーを螺旋トンネルを形成している壁面の振動として消費させるので、ワイヤハーネス１の内部の音の発生を大幅に抑制できる。
本発明は、上記の実施の形態に替えて、以下の構成にしてもよい。
【００５２】
上記の実施の形態では、テープ材本体５の片面の全幅に粘着剤層６を形成した例を示したが、粘着剤層６が、少なくとも、ハーフラップ巻きにおいて上側に重なるテープ材本体５の半部の重なり面に形成されている場合も、本発明の技術的範囲に包含するものである。さらに、粘着剤層６が設けられない場合も、本発明の技術的範囲に包含するものである。これらの場合には、結束用テープ製保護部３と電線群２とが粘着剤層６によって粘着されないので、テープ巻きの巻始め端と巻き終わり端とを別の粘着テープで電線群２に巻き落とすことにより、結束用テープ製保護部３と電線群２とを固定する。
【００５３】
上記の実施の形態では、結束用テープ材４の成形について、プレス成形＋加熱＋冷却により成形する方法を示したが、テープ材本体５を金型で成形し、テープ材本体５の片面に粘着剤層６を塗布により形成し、台形状下面部５ｂのみに貼着するように連続する離型紙を貼着してもよい。
【００５４】
上記の実施の形態では、長矩形側壁部５ｃを、台形状下面部５ｂおよび台形状下面部５ｂに対して垂直に設けたが、傾斜壁となるように設けてもよい。
【００５５】
以上説明したように、本発明によれば、テープ巻きするだけで、従来の結束用テープ材による下巻きおよび後巻きならびにスリット入りコルゲートチューブの組み合わせによる電線群の保護機能と同等の保護機能を有し、コルゲートチューブと下巻きと後巻きの材料および取付作業が不要であり、ワイヤハーネスの内部に浸入する水を良好に排出することができ、異音の発生を低減できるという効果を有し、従来のスリット入りコルゲートチューブを用いて電線群を保護しているワイヤハーネスの全般に有用である。
【符号の説明】
【００５６】
１  ワイヤハーネス
２  電線群
３  結束用テープ製保護部
４  結束用テープ材
５  テープ材本体
５ａ  台形状上面部
５ｂ  台形状下面部
５ｃ  長矩形側壁部
６  粘着剤層
【図１】
2016163455.tif 000003
【図２】
2016163455.tif 000004
【図３】
2016163455.tif 000005
【図４】
2016163455.tif 000006
【図５】
2016163455.tif 000007